(57)【特許請求の範囲】
【請求項１】
断面円形のストラップ（２）と、
前記ストラップ（２）末端を締め上げてストラップ（２）の直径を減ずる金属製リング（３８，４８）と、
前記ストラップ（２）末端を収容する筒状の金属製収容具（３，４）と、からなるストラップ末端処理具において、
前記金属製収容具（３，４）の端部壁（３９，４５）で前記金属製リング（３８，４８）の内側端部をかしめて一体化したことを特徴とするストラップ末端処理具。
【請求項２】
前記ストラップ（２）の直径と、前記金属製収容具（３，４）の直径がほぼ等しいものである請求項１記載のストラップ末端処理具。
【請求項３】
前記金属製収容具（３，４）が連結部材となって、別のストラップ末端と連結可能である請求項１又は２記載のストラップ末端処理具。
【請求項４】
断面円形のストラップ（２）末端を金属製リング（３８，４８）で締め上げて直径を減じ、次いで、金属製収容具（３，４）で前記金属製リング（３８，４８）を被覆し、最後に、金属製収容具（３，４）の端部壁（３９，４５）で前記金属製リング（３８，４８）の内側端部をかしめることを特徴とするストラップ末端処理方法。
【発明の詳細な説明】
【技術分野】
【０００１】
本発明はストラップ末端処理具及び処理方法に関する。以下、この末端処理具及び処理方法を使用した連結具を例にして説明する。この連結具は、ネックストラップ等の両端部を開閉するのに用いるものである。
【背景技術】
【０００２】
ネックストラップ等の両端部を開閉する連結具には、さまざまなものが知られている（例えば、下記特許文献１〜５参照）。それらは、要するに、ストラップ端部に雌雄部材を設け、雄部材を雌部材に着脱自在に組み合わせることを特徴としている。
【特許文献１】特開平７−３１３２１２号公報
【特許文献２】特開２０００−７９００５公報
【特許文献３】特開２００４−３４４４０４公報
【特許文献４】特開２００１−２７５７２５公報
【特許文献５】実用新案登録第３０６９８０１号公報
【発明の開示】
【発明が解決しようとする課題】
【０００３】
特許文献１ないし５のうち、ストラップ末端が金属製収容具で被覆されているように見えるものとしては、特許文献４（図５，６），特許文献５（図１２）がある。しかし、それらの詳細な説明や図面にはどのようにしてストラップ末端を金属製収容具で被覆するのかについて明確に記載されておらず、それらの内部構造が不明である。
【０００４】
本発明は、断面円形のストラップ末端を筒状の金属製収容具で被覆した美しい外観のストラップ末端処理具を提供することを目的とする。
【課題を解決するための手段】
【０００５】
本発明のストラップ末端処理具は、断面円形のストラップと、前記ストラップ末端を締め上げてストラップの直径を減ずる金属製リングと、前記ストラップ末端を収容する筒状の金属製収容具と、からなるストラップ末端処理具において、前記金属製収容具の端部壁で前記金属製リングの内側端部をかしめて一体化したことを特徴とする。
【０００６】
本発明のストラップ末端処理方法は、断面円形のストラップ末端を金属製リングで締め上げて直径を減じ、次いで、金属製収容具で前記金属製リングを被覆し、最後に、金属製収容具の端部壁で前記金属製リングの内側端部をかしめることを特徴とする。
【発明の効果】
【０００７】
本発明によれば、ストラップ末端は金属製収容具で被覆されるので、ストラップ末端が繊維束にほどけるのを阻止するのはもちろん、美しく高級感のある外観をもたらすことができる。また、この金属製リングがストッパーとなり、金属製収容具が抜け落ちるのを防止することができる。
【発明を実施するための最良の形態】
【０００８】
前記ストラップの直径と、前記金属製収容具の直径はほぼ等しいものとすることが好ましい。そのように構成することにより、金属製収容具の存在が違和感のないものとなり、美しく高級感のある外観をもたらすことができる。
【０００９】
前記金属製収容具は連結部材を兼ねるものとすることが好ましい。そうすることにより、前記金属製収容具の両端でストラップ末端と連結可能となる。
【００１０】
以下、添付の図面に基づき、本発明の実施例を説明する。
【実施例１】
【００１１】
図１は、本発明の１実施例に係る末端処理具を使用したネックストラップ１の全体正面図である。ストラップ２末端には、ストラップ末端収容具（以下、「雌雄連結具」又は「雄部材」「雌部材」という）３，４が取り付けられている。ストラップ２は断面円形の組紐である。図２はその雌雄連結具の拡大図であり、図３はその断面図である。
【００１２】
図２、図３に示すように、雄部材４は金属製で、円柱状本体４１と、この本体から突出する係合突起４２からなる。
【００１３】
本体４１はストラップとほぼ等しい外径を有し、ストラップの末端を収容する収容部４３が形成されている。この収容部４３は、後方が開放された円柱状の窪みであり、窪みの底４４はすり鉢状になっている。ストラップ末端には予め、金属製リング４８が嵌めこまれており、このリング４８のすぐ後ろで本体の端部壁４５が内方へかしめられている。このリング４８は、ストラップ２末端を縛り上げることにより、その直径を小さくすると共に、かしめられた本体端部壁４５に対するストッパーとして機能する。その結果、ストラップ末端は雄側本体４に対して緊密に固定されている。
【００１４】
係合突起４２は、細長い円柱部４６と、その先端の球体４７からなる。
【００１５】
雌部材３も金属製で、円柱状本体３１からなる。
【００１６】
この本体３１はストラップ２とほぼ等しい直径を有し、前記係合突起４２を受容する受け部３２と、ストラップ末端の収容部３３が形成されている。受け部３２は、前方が開放された円柱状であり、受け部３２の入口付近には弾性リング３４が嵌められており、後部はすり鉢状になっている。
【００１７】
弾性リング３４は、受け部３２の中で、内側へかしめられた最前部３６のために入口の外へ抜け出すことができず、すり鉢状の後部３２ａのために奥へ移動することができない。弾性リング３４の中央孔３５の直径は、前記雄部材４の先端球体４７の直径よりもやや小さい。弾性リング３４の幅は、前記係合突起の細長い円柱部４６の長さとほぼ等しい。弾性リング３４は、例えばウレタン樹脂で成形される。
【００１８】
収容部３３は、後方が開放された円柱状の窪みであり、この窪みの底３７はすり鉢状になっている。ストラップ末端には予め、金属製リング３８が嵌めこまれており、このリングのすぐ後ろで本体の端部壁３９が内方へかしめられている。このリング３８は、ストラップ２を縛り上げることにより、その外径を小さくすると共に、かしめられた本体端部壁３９に対するストッパーとして機能する。その結果、ストラップ末端は雄側本体３１に対して緊密に固定されている。
【００１９】
本発明のストラップ連結具を使用して連結するには、図３（ａ）に示す状態から、図３（ｂ）の状態になるまで、指で押し込めばよい。そのとき、雄部材４の係合突起４２が雌部材３の受け部３２の弾性リング３４を変形させながら前進し、貫通状態で球体４７のみが弾性リング３４を抜け出す。抜け出た状態では、球体４７が抜け止めとなって、容易には分離しない。しかし、着用者が連結具を指で引き離せば外れる程度の結合の強さである。そのため、事故でネックストラップが機械にはさまれるようなことがあれば、即座に分離可能である。
【実施例２】
【００２０】
図４は本発明の第２実施例の末端処理具を使用したネックストラップの雌雄連結具の拡大図である。この第２実施例では、ストラップの両端が雄部材であり、つなぎのために中間雌部材を用いる。
【００２１】
図４において、ストラップの両末端に取り付ける雄部材は、第１実施例と同様であるので、説明は省略する。
【００２２】
雌部材となる中間雌部材５は、両端が受け部５６、５７となった円柱状の本体５１を有する。受け部５６、５７の両端入口付近には弾性リング５２、５３が嵌められており、後部５６ａ，５７ａはすり鉢状になっている。
【００２３】
弾性リング５２，５３は、受け部５６，５７の中で、内側へかしめられた最前部５４，５５のために入口の外へ抜け出すことができず、すり鉢状の後部５６ａ，５７ａのために奥へ移動することができない。弾性リング５２，５３の中央孔５９，６０の直径は、前記雄部材４の先端球体４７の直径よりもやや小さい。弾性リング５２，５３の幅は、前記係合突起の細長い円柱部４６の長さとほぼ等しい。弾性リング５２，５３は、例えばウレタン樹脂で成形される。
【００２４】
この実施例のストラップ連結具を使用するには、中間雌部材５を介して、ストラップ両末端の雄部材と係合させる点が第１実施例と異なる。中間雌部材５は連結時にその都度取り出して嵌めてもよいし、ストラップ両末端の雄部材のいずれか一方と連結させ続けておくこともできる。
【図面の簡単な説明】
【００２５】
【図１】本発明の第１実施例に係る末端処理具を使用したネックストラップの全体正面図である。
【図２】雌雄連結具の拡大図である。
【図３】雌雄連結具の断面図である。（ａ）は結合前、（ｂ）は結合後を示す。
【図４】本発明の第２実施例に係る末端処理具を使用したネックストラップの雌雄連結具の拡大図である。
【符号の説明】
【００２６】
１     ネックストラップ
２     ストラップ
３     ストラップ末端収容具（雌部材）
４     ストラップ末端収容具（雄部材）
３１   円柱状本体
３２   受け部
３３   ストラップ末端収容部
３４   弾性リング
３５   中央孔
３８   金属製リング
４１   円柱状本体
４２   係合突起
４３   ストラップ末端収容部
４６   円柱
４７   球体
４８   金属製リング
５     中間雌部材
５２、５３  金属製リング
５６，５７  受け部
【図１】
0004559379.tif 000002
【図２】
0004559379.tif 000003
【図３】
0004559379.tif 000004
【図４】
0004559379.tif 000005